(57)【要約】【課題】娯楽施設の主催者が提供する情報サービスを、娯楽施設を利用する意志のある観客が容易に取得できる娯楽情報鑑賞システムを提供する。【解決手段】観客が通信端末装置１を用いて、娯楽情報を提供する娯楽情報提供サーバ２にアクセスし、娯楽情報を鑑賞するための鑑賞許可情報を、観客が所有する移動体通信端末装置３に送信させる。そして、娯楽情報提供サーバ２から受信した鑑賞許可情報を基に、移動体通信端末装置３と、娯楽施設に設置された入場許可装置４と、の間で、娯楽施設内への入場を許可させる通過処理を近距離無線にて行い、娯楽施設内での娯楽情報の鑑賞が可能となる。また、移動体通信端末装置３が受信した鑑賞許可情報を基に、娯楽情報を提供する娯楽情報提供サーバ２にアクセスし、娯楽施設に関する情報を所定の期間だけ閲覧可能となる。なお、通信端末装置１は、移動体通信端末装置３でも適用可能である。【選択図】        図１
2005010959.tif 000002
【特許請求の範囲】
【請求項１】
娯楽施設を利用する際に必要な利用情報を管理する娯楽情報提供サーバから、前記利用情報を取得する移動体通信端末装置であって、
前記娯楽情報提供サーバから取得した前記利用情報を、前記娯楽施設の利用を管理する入場許可装置に近距離無線にて送信する利用情報送信手段と、
前記利用情報送信手段により近距離無線にて送信した入場許可装置から、前記娯楽情報提供サーバが提供する情報提供サイトに接続するための接続情報を受信する接続情報受信手段と、
前記接続情報受信手段により受信した接続情報を基に前記娯楽情報提供サーバが提供する情報サイトに接続する情報サイト接続手段と、
を有することを特徴とする移動体通信端末装置。
【請求項２】
前記情報サイト接続手段により前記情報提供サイトに接続された際に、前記娯楽情報提供サーバから取得した前記利用情報を基に前記娯楽施設内の所定の位置までの道案内を検索する検索プログラムを前記情報提供サイトから取得する道案内検索処理取得手段を有し、
前記道案内検索処理取得手段により取得した検索プログラムが前記移動体通信端末装置において実行され、前記利用情報を基に前記娯楽施設内の所定の位置までの道案内が検索され、該検索した道案内が前記移動体通信端末装置の表示部に表示されることを特徴とする請求項１記載の移動体通信端末装置。
【請求項３】
前記娯楽情報提供サーバと接続された外部の通信端末装置からの取得要求により、前記娯楽情報提供サーバから前記利用情報を取得することを特徴とする請求項１または２記載の移動体通信端末装置。
【請求項４】
前記娯楽情報提供サーバから前記利用情報を取得する取得要求手段を有し、
前記取得要求手段により前記娯楽情報提供サーバから前記利用情報を取得することを特徴とする請求項１または２記載の移動体通信端末装置。
【請求項５】
娯楽施設を利用する際に必要な利用情報を管理する娯楽情報提供サーバと、前記利用情報を取得する移動体通信端末装置と、前記利用情報を前記移動体通信端末装置に取得させるための登録処理を行う通信端末装置と、前記娯楽施設の利用を管理する入場許可装置と、を有して構成される娯楽情報鑑賞システムであって、
前記通信端末装置は、
前記利用情報を前記移動体通信端末装置に送信させる送信要求を前記娯楽情報提供サーバに送信する利用情報送信要求手段を有し、
前記娯楽情報提供サーバは、
前記通信端末装置から送信された送信要求を基に、前記移動体通信端末装置に対して前記利用情報を送信する利用情報送信手段と、
前記利用情報送信手段により前記利用情報を送信した前記移動体通信端末装置からのアクセスにより前記娯楽情報提供サーバが管理する情報提供サイトに前記移動体通信端末装置を接続させる情報提供サイト接続手段と、
を有し、
前記移動体通信端末装置は、
前記娯楽情報提供サーバから送信された前記利用情報を受信する利用情報受信手段と、
前記利用情報受信手段により受信した前記利用情報を近距離無線にて前記入場許可装置に送信する利用情報送信手段と、
前記利用情報送信手段により前記利用情報を送信した前記入場許可装置から、前記娯楽情報提供サーバが管理する情報提供サイトに接続するための接続情報を取得する接続情報取得手段と、
を有し、
前記入場許可装置は、
前記移動体通信端末装置から近距離無線にて送信された前記利用情報の正当性を検証する利用情報検証手段と、
前記利用情報検証手段により前記利用情報の正当性が証明された際に、前記娯楽情報提供サーバが管理する情報提供サイトに接続するための接続情報を前記移動体通信端末装置に提供する接続情報提供手段と、
を有することを特徴とする娯楽情報鑑賞システム。
【請求項６】
前記通信端末装置は、
前記利用情報を前記移動体通信端末装置に送信させる際に必要な料金の支払い処理を行う精算手段と、
前記精算手段において料金の支払い処理が完了した旨を前記娯楽情報提供サーバに送信する支払完了通知手段と、
を更に有し、
前記利用情報送信手段は、
前記通信端末装置から料金の支払い処理が完了した旨が通知された際に、前記移動体通信端末装置に対して前記利用情報を送信することを特徴とする請求項５記載の娯楽情報鑑賞システム。
【請求項７】
前記利用情報検証手段は、
前記入場許可装置が管理する利用情報と、前記移動体通信端末装置から近距離無線にて送信された前記利用情報と、が一致するか否かを判定することで前記利用情報の正当性を検証し、前記利用情報が一致すると判定した場合に、前記利用情報の正当性が証明されることを特徴とする請求項５記載の娯楽情報鑑賞システム。
【請求項８】
前記入場許可装置が管理する利用情報は、
前記娯楽情報提供サーバから送信された利用情報であることを特徴とする請求項７記載の娯楽情報鑑賞システム。
【請求項９】
前記移動体通信端末装置は、
前記接続情報取得手段により取得した前記接続情報を基に前記情報提供サイトに接続した際に、前記娯楽情報提供サーバから取得した前記利用情報を基に前記娯楽施設内の所定の位置までの道案内を検索する検索プログラムを前記情報提供サイトから取得する道案内検索処理取得手段を更に有し、
前記道案内検索処理取得手段により取得した検索プログラムが前記移動体通信端末装置において実行され、前記利用情報を基に前記娯楽施設内の所定の位置までの道案内が検索され、該検索した道案内が前記移動体通信端末装置の表示部に表示されることを特徴とする請求項５記載の娯楽情報鑑賞システム。
【請求項１０】
娯楽施設を利用する際に必要な利用情報を管理する娯楽情報提供サーバと、前記利用情報を取得する移動体通信端末装置と、前記娯楽施設の利用を管理する入場許可装置と、を有して構成される娯楽情報鑑賞システムであって、
前記移動体通信端末装置は、
前記利用情報を取得するための取得要求を前記娯楽情報提供サーバに送信する利用情報取得要求手段と、
前記利用情報取得要求手段により前記取得要求を送信した前記娯楽情報提供サーバから取得した前記利用情報を近距離無線にて前記入場許可装置に送信する利用情報送信手段と、
前記利用情報送信手段により前記利用情報を送信した前記入場許可装置から、前記娯楽情報提供サーバが管理する情報提供サイトに接続するための接続情報を取得する接続情報取得手段と、
を有し、
前記娯楽情報提供サーバは、
前記移動体通信端末装置から送信された取得要求を基に、前記利用情報を前記移動体通信端末装置に送信する利用情報送信手段と、
前記利用情報送信手段により前記利用情報を送信した前記移動体通信端末装置からのアクセスにより前記娯楽情報提供サーバが管理する情報提供サイトに前記移動体通信端末装置を接続させる情報提供サイト接続手段と、
を有し、
前記入場許可装置は、
前記移動体通信端末装置から近距離無線にて送信された前記利用情報の正当性を検証する利用情報検証手段と、
前記利用情報検証手段により前記利用情報の正当性が証明された際に、前記娯楽情報提供サーバが管理する情報提供サイトに接続するための接続情報を前記移動体通信端末装置に提供する接続情報提供手段と、
を有することを特徴とする娯楽情報鑑賞システム。
【請求項１１】
前記移動体通信端末装置は、
前記利用情報を前記娯楽情報提供サーバから取得する際に必要な料金の精算を行うための支払情報を前記娯楽情報提供サーバに送信する支払情報通知手段を更に有し、
前記利用情報送信手段は、
前記移動体通信端末装置から送信された前記支払情報を基に前記料金の精算を完了させた際に、前記移動体通信端末装置に対して前記利用情報を送信することを特徴とする請求項１０記載の娯楽情報鑑賞システム。
【請求項１２】
前記利用情報検証手段は、
前記入場許可装置が管理する利用情報と、前記移動体通信端末装置から近距離無線にて送信された前記利用情報と、が一致するか否かを判定することで前記利用情報の正当性を検証し、前記利用情報が一致すると判定した場合に、前記利用情報の正当性が証明されることを特徴とする請求項１０記載の娯楽情報鑑賞システム。
【請求項１３】
前記入場許可装置が管理する利用情報は、
前記娯楽情報提供サーバから送信された利用情報であることを特徴とする請求項１２記載の娯楽情報鑑賞システム。
【請求項１４】
前記移動体通信端末装置は、
前記接続情報取得手段により取得した前記接続情報を基に前記情報提供サイトに接続した際に、前記娯楽情報提供サーバから取得した前記利用情報を基に前記娯楽施設内の所定の位置までの道案内を検索する検索プログラムを前記情報提供サイトから取得する道案内検索処理取得手段を更に有し、
前記道案内検索処理取得手段により取得した検索プログラムが前記移動体通信端末装置において実行され、前記利用情報を基に前記娯楽施設内の所定の位置までの道案内が検索され、該検索した道案内が前記移動体通信端末装置の表示部に表示されることを特徴とする請求項１０記載の娯楽情報鑑賞システム。
【請求項１５】
娯楽施設を利用する際に必要な利用情報を管理する娯楽情報提供サーバと、前記利用情報を取得する移動体通信端末装置と、前記利用情報を前記移動体通信端末装置に取得させるための登録処理を行う通信端末装置と、前記娯楽施設の利用を管理する入場許可装置と、で行なわれる娯楽情報提供方法であって、
前記通信端末装置が、前記利用情報を前記移動体通信端末装置に送信させる送信要求を前記娯楽情報提供サーバに送信する利用情報送信要求工程と、
前記利用情報送信要求工程により前記送信要求を受信した前記娯楽情報提供サーバが、該受信した送信要求を基に、前記移動体通信端末装置に対して前記利用情報を送信する利用情報送信工程と、
前記利用情報送信工程により前記利用情報を受信した前記移動体通信端末装置が、前記入場許可装置に近距離無線にて前記利用情報を送信する近距離無線送信工程と、
前記入場許可装置が、前記近距離無線送信工程により前記移動体通信端末装置から送信された前記利用情報の正当性を検証し、前記利用情報の正当性が証明された際に、前記娯楽情報提供サーバが管理する情報提供サイトに接続するための接続情報を前記移動体通信端末装置に提供する接続情報提供工程と、
前記移動体通信端末装置が、前記接続情報提供工程により提供された接続情報を用いて前記娯楽情報提供サーバが管理する情報提供サイトに接続する情報サイト接続工程と、
を行うことを特徴とする娯楽情報提供方法。
【請求項１６】
前記通信端末装置において、前記利用情報を前記移動体通信端末装置に送信させる際に必要な料金の支払い処理を行い、前記通信端末装置が、前記支払い処理が完了した際に、前記支払い処理が完了した旨を前記娯楽情報提供サーバに送信する支払完了通知工程を行い、
前記利用情報送信工程は、
前記支払完了通知工程により前記支払い処理が完了した旨が通知された際に、前記移動体通信端末装置に対して前記利用情報を送信することを特徴とする請求項１５記載の娯楽情報提供方法。
【請求項１７】
前記接続情報提供工程は、
前記入場許可装置が管理する利用情報と、前記近距離無線送信工程により前記移動体通信端末装置から近距離無線にて送信された前記利用情報と、が一致するか否かを判定することで前記利用情報の正当性を検証し、前記利用情報が一致すると判定した場合に、前記利用情報の正当性が証明されることを特徴とする請求項１５記載の娯楽情報提供方法。
【請求項１８】
前記入場許可装置が管理する利用情報は、
前記娯楽情報提供サーバから送信された利用情報であることを特徴とする請求項１７記載の娯楽情報提供方法。
【請求項１９】
前記情報サイト接続工程により前記移動体通信端末装置が前記情報提供サイトに接続された際に、前記利用情報を基に前記娯楽施設内の所定の位置までの道案内を検索する検索プログラムが前記情報提供サイトから前記移動体通信端末装置に送信され、該送信された検索プログラムが前記移動体通信端末装置において実行され、前記利用情報を基に前記娯楽施設内の所定の位置までの道案内が検索され、該検索した道案内が前記移動体通信端末装置の表示部に表示されることを特徴とする請求項１５記載の娯楽情報提供方法。
【請求項２０】
娯楽施設を利用する際に必要な利用情報を管理する娯楽情報提供サーバと、前記利用情報を取得する移動体通信端末装置と、前記娯楽施設の利用を管理する入場許可装置と、で行なわれる娯楽情報提供方法であって、
前記移動体通信端末装置が、前記利用情報を取得するための取得要求を前記娯楽情報提供サーバに送信する利用情報取得要求工程と、
前記利用情報取得要求工程により前記利用情報を受信した前記娯楽情報提供サーバが、該受信した前記取得要求を基に、前記利用情報を前記移動体通信端末装置に送信する利用情報送信工程と、
前記移動体通信端末装置が、前記利用情報送信工程により受信した前記利用情報を近距離無線にて前記入場許可装置に送信する近距離無線送信工程と、
前記入場許可装置が、前記近距離無線送信工程により送信された前記利用情報の正当性を検証し、前記利用情報の正当性が証明された際に、前記娯楽情報提供サーバが管理する情報提供サイトに接続するための接続情報を前記移動体通信端末装置に提供する接続情報提供工程と、
前記移動体通信端末装置が、前記接続情報提供工程により提供された接続情報を用いて前記娯楽情報提供サーバが管理する情報提供サイトに接続する情報サイト接続工程と、
を行うことを特徴とする娯楽情報提供方法。
【請求項２１】
前記移動体通信端末装置が前記利用情報を前記娯楽情報提供サーバから取得する際に必要な料金の精算を行うための支払情報を前記娯楽情報提供サーバに送信する支払情報通知工程を行い、
前記利用情報送信工程は、
前記支払情報通知工程により送信された前記支払情報を基に前記料金の精算を完了させた際に、前記移動体通信端末装置に対して前記利用情報を送信することを特徴とする請求項２０記載の娯楽情報提供方法。
【請求項２２】
前記接続情報提供工程は、
前記入場許可装置が管理する利用情報と、前記近距離無線送信工程により前記移動体通信端末装置から近距離無線にて送信された前記利用情報と、が一致するか否かを判定することで前記利用情報の正当性を検証し、前記利用情報が一致すると判定した場合に、前記利用情報の正当性が証明されることを特徴とする請求項２０記載の娯楽情報提供方法。
【請求項２３】
前記入場許可装置が管理する利用情報は、
前記娯楽情報提供サーバから送信された利用情報であることを特徴とする請求項２２記載の娯楽情報提供方法。
【請求項２４】
前記情報サイト接続工程により前記移動体通信端末装置が前記情報提供サイトに接続された際に、前記利用情報を基に前記娯楽施設内の所定の位置までの道案内を検索する検索プログラムが前記情報提供サイトから前記移動体通信端末装置に送信され、該送信された検索プログラムが前記移動体通信端末装置において実行され、前記利用情報を基に前記娯楽施設内の所定の位置までの道案内が検索され、該検索した道案内が前記移動体通信端末装置の表示部に表示されることを特徴とする請求項２０記載の娯楽情報提供方法。
【発明の詳細な説明】
【０００１】
【発明の属する技術分野】
本発明は、野球場などの娯楽施設の主催者が提供する情報サービスを取得する移動体通信端末装置、娯楽情報鑑賞システム及び娯楽情報提供方法に関する。
【０００２】
【従来の技術】
従来、観客が野球やサッカー等の試合を観戦したい場合には、チケットを購入することで、観客は試合を直に観戦することができた。しかし、観客が試合観戦時において把握したい選手やチーム等の情報は、パンフレットを購入するなどして入手していたのが現状である。また、試合の主催者側も、チケットを販売した観客に対して試合観戦以外の付加価値のあるサービスを提供することは困難であった。これは、チケットを販売した観客に対する試合前後のサービスの提供が構築されていなかったことから、主催者側は、チケットを販売した観客が試合会場に来客しなければ、その観客に対してサービスを提供することが出来なかった為である。
【０００３】
なお、本発明より先に出願された技術文献として、各々の観客が持っている娯楽施設の入場券に１対１に対応して各々異なるＵＲＬアドレスを設定し、携帯端末を使用して、入場券に対応して設定されたＵＲＬアドレスのサーバコンピュータ上のＷＷＷサイトにアクセスし、そのアクセスしたＷＷＷサイトを介して、サーバコンピュータから携帯端末へコンテンツを配信し、各々の観客に対し個別に各種のサービスを提供するサービス方法がある（例えば、特許文献１参照）。
【０００４】
【特許文献１】
特開２００３−６５１７号公報
【０００５】
【発明が解決しようとする課題】
しかしながら、特許文献１のサービス方法は、娯楽施設内において、各々の観客が所有する携帯端末に対して、各種のサービスを提供するものであり、また、入場券に表示されているＵＲＬアドレスを用いてサーバコンピュータにアクセスすることで、各種のサービスの提供が可能となるため、携帯端末にＵＲＬアドレスを入力しなくてはならない。また、入場券を所持して娯楽施設に行くこととなり、紛失の虞がある。
【０００６】
本発明は、上記事情に鑑みてなされたものであり、娯楽施設の主催者が提供する情報サービスを、娯楽施設を利用する意志のある観客が容易に取得できる移動体通信端末装置、娯楽情報鑑賞システム及び娯楽情報提供方法を提供することを目的とする。
【０００７】
【課題を解決するための手段】
かかる目的を達成するために本発明は以下のような特徴を有する。
請求項１記載の発明は、娯楽施設を利用する際に必要な利用情報を管理する娯楽情報提供サーバから、利用情報を取得する移動体通信端末装置であって、娯楽情報提供サーバから取得した利用情報を、娯楽施設の利用を管理する入場許可装置に近距離無線にて送信する利用情報送信手段と、利用情報送信手段により近距離無線にて送信した入場許可装置から、娯楽情報提供サーバが提供する情報提供サイトに接続するための接続情報を受信する接続情報受信手段と、接続情報受信手段により受信した接続情報を基に娯楽情報提供サーバが提供する情報サイトに接続する情報サイト接続手段と、を有することを特徴とする。
【０００８】
請求項２記載の発明は、請求項１記載の移動体通信端末装置において、情報サイト接続手段により情報提供サイトに接続された際に、娯楽情報提供サーバから取得した利用情報を基に娯楽施設内の所定の位置までの道案内を検索する検索プログラムを情報提供サイトから取得する道案内検索処理取得手段を有し、道案内検索処理取得手段により取得した検索プログラムが移動体通信端末装置において実行され、利用情報を基に娯楽施設内の所定の位置までの道案内が検索され、該検索した道案内が移動体通信端末装置の表示部に表示されることを特徴とする。
【０００９】
請求項３記載の発明は、請求項１または２記載の移動体通信端末装置において、娯楽情報提供サーバと接続された外部の通信端末装置からの取得要求により、娯楽情報提供サーバから利用情報を取得することを特徴とする。
【００１０】
請求項４記載の発明は、請求項１または２記載の移動体通信端末装置において、娯楽情報提供サーバから利用情報を取得する取得要求手段を有し、取得要求手段により娯楽情報提供サーバから利用情報を取得することを特徴とする。
【００１１】
請求項５記載の発明は、娯楽施設を利用する際に必要な利用情報を管理する娯楽情報提供サーバと、利用情報を取得する移動体通信端末装置と、利用情報を移動体通信端末装置に取得させるための登録処理を行う通信端末装置と、娯楽施設の利用を管理する入場許可装置と、を有して構成される娯楽情報鑑賞システムであって、通信端末装置は、利用情報を移動体通信端末装置に送信させる送信要求を娯楽情報提供サーバに送信する利用情報送信要求手段を有し、娯楽情報提供サーバは、通信端末装置から送信された送信要求を基に、移動体通信端末装置に対して利用情報を送信する利用情報送信手段と、利用情報送信手段により利用情報を送信した移動体通信端末装置からのアクセスにより娯楽情報提供サーバが管理する情報提供サイトに移動体通信端末装置を接続させる情報提供サイト接続手段と、を有し、移動体通信端末装置は、娯楽情報提供サーバから送信された利用情報を受信する利用情報受信手段と、利用情報受信手段により受信した利用情報を近距離無線にて入場許可装置に送信する利用情報送信手段と、利用情報送信手段により利用情報を送信した入場許可装置から、娯楽情報提供サーバが管理する情報提供サイトに接続するための接続情報を取得する接続情報取得手段と、を有し、入場許可装置は、移動体通信端末装置から近距離無線にて送信された利用情報の正当性を検証する利用情報検証手段と、利用情報検証手段により利用情報の正当性が証明された際に、娯楽情報提供サーバが管理する情報提供サイトに接続するための接続情報を移動体通信端末装置に提供する接続情報提供手段と、を有することを特徴とする。
【００１２】
請求項６記載の発明は、請求項５記載の娯楽情報鑑賞システムにおいて、通信端末装置は、利用情報を移動体通信端末装置に送信させる際に必要な料金の支払い処理を行う精算手段と、精算手段において料金の支払い処理が完了した旨を娯楽情報提供サーバに送信する支払完了通知手段と、を更に有し、利用情報送信手段は、通信端末装置から料金の支払い処理が完了した旨が通知された際に、移動体通信端末装置に対して利用情報を送信することを特徴とする。
【００１３】
請求項７記載の発明は、請求項５記載の娯楽情報鑑賞システムにおいて、利用情報検証手段は、入場許可装置が管理する利用情報と、移動体通信端末装置から近距離無線にて送信された利用情報と、が一致するか否かを判定することで利用情報の正当性を検証し、利用情報が一致すると判定した場合に、利用情報の正当性が証明されることを特徴とする。
【００１４】
請求項８記載の発明は、請求項７記載の娯楽情報鑑賞システムにおいて、入場許可装置が管理する利用情報は、娯楽情報提供サーバから送信された利用情報であることを特徴とする。
【００１５】
請求項９記載の発明は、請求項５記載の娯楽情報鑑賞システムにおいて、移動体通信端末装置は、接続情報取得手段により取得した接続情報を基に情報提供サイトに接続した際に、娯楽情報提供サーバから取得した利用情報を基に娯楽施設内の所定の位置までの道案内を検索する検索プログラムを情報提供サイトから取得する道案内検索処理取得手段を更に有し、道案内検索処理取得手段により取得した検索プログラムが移動体通信端末装置において実行され、利用情報を基に娯楽施設内の所定の位置までの道案内が検索され、該検索した道案内が移動体通信端末装置の表示部に表示されることを特徴とする。
【００１６】
請求項１０記載の発明は、娯楽施設を利用する際に必要な利用情報を管理する娯楽情報提供サーバと、利用情報を取得する移動体通信端末装置と、娯楽施設の利用を管理する入場許可装置と、を有して構成される娯楽情報鑑賞システムであって、移動体通信端末装置は、利用情報を取得するための取得要求を娯楽情報提供サーバに送信する利用情報取得要求手段と、利用情報取得要求手段により取得要求を送信した娯楽情報提供サーバから取得した利用情報を近距離無線にて入場許可装置に送信する利用情報送信手段と、利用情報送信手段により利用情報を送信した入場許可装置から、娯楽情報提供サーバが管理する情報提供サイトに接続するための接続情報を取得する接続情報取得手段と、を有し、娯楽情報提供サーバは、移動体通信端末装置から送信された取得要求を基に、利用情報を移動体通信端末装置に送信する利用情報送信手段と、利用情報送信手段により利用情報を送信した移動体通信端末装置からのアクセスにより娯楽情報提供サーバが管理する情報提供サイトに移動体通信端末装置を接続させる情報提供サイト接続手段と、を有し、入場許可装置は、移動体通信端末装置から近距離無線にて送信された利用情報の正当性を検証する利用情報検証手段と、利用情報検証手段により利用情報の正当性が証明された際に、娯楽情報提供サーバが管理する情報提供サイトに接続するための接続情報を移動体通信端末装置に提供する接続情報提供手段と、を有することを特徴とする。
【００１７】
請求項１１記載の発明は、請求項１０記載の娯楽情報鑑賞システムにおいて、移動体通信端末装置は、利用情報を娯楽情報提供サーバから取得する際に必要な料金の精算を行うための支払情報を娯楽情報提供サーバに送信する支払情報通知手段を更に有し、利用情報送信手段は、移動体通信端末装置から送信された支払情報を基に料金の精算を完了させた際に、移動体通信端末装置に対して利用情報を送信することを特徴とする。
【００１８】
請求項１２記載の発明は、請求項１０記載の娯楽情報鑑賞システムにおいて、利用情報検証手段は、入場許可装置が管理する利用情報と、移動体通信端末装置から近距離無線にて送信された利用情報と、が一致するか否かを判定することで利用情報の正当性を検証し、利用情報が一致すると判定した場合に、利用情報の正当性が証明されることを特徴とする。
【００１９】
請求項１３記載の発明は、請求項１２記載の娯楽情報鑑賞システムにおいて、入場許可装置が管理する利用情報は、娯楽情報提供サーバから送信された利用情報であることを特徴とする。
【００２０】
請求項１４記載の発明は、請求項１０記載の娯楽情報鑑賞システムにおいて、移動体通信端末装置は、接続情報取得手段により取得した接続情報を基に情報提供サイトに接続した際に、娯楽情報提供サーバから取得した利用情報を基に娯楽施設内の所定の位置までの道案内を検索する検索プログラムを情報提供サイトから取得する道案内検索処理取得手段を更に有し、道案内検索処理取得手段により取得した検索プログラムが移動体通信端末装置において実行され、利用情報を基に娯楽施設内の所定の位置までの道案内が検索され、該検索した道案内が移動体通信端末装置の表示部に表示されることを特徴とする。
【００２１】
請求項１５記載の発明は、娯楽施設を利用する際に必要な利用情報を管理する娯楽情報提供サーバと、利用情報を取得する移動体通信端末装置と、利用情報を移動体通信端末装置に取得させるための登録処理を行う通信端末装置と、娯楽施設の利用を管理する入場許可装置と、で行なわれる娯楽情報提供方法であって、通信端末装置が、利用情報を移動体通信端末装置に送信させる送信要求を娯楽情報提供サーバに送信する利用情報送信要求工程と、利用情報送信要求工程により送信要求を受信した娯楽情報提供サーバが、該受信した送信要求を基に、移動体通信端末装置に対して利用情報を送信する利用情報送信工程と、利用情報送信工程により利用情報を受信した移動体通信端末装置が、入場許可装置に近距離無線にて利用情報を送信する近距離無線送信工程と、入場許可装置が、近距離無線送信工程により移動体通信端末装置から送信された利用情報の正当性を検証し、利用情報の正当性が証明された際に、娯楽情報提供サーバが管理する情報提供サイトに接続するための接続情報を移動体通信端末装置に提供する接続情報提供工程と、移動体通信端末装置が、接続情報提供工程により提供された接続情報を用いて娯楽情報提供サーバが管理する情報提供サイトに接続する情報サイト接続工程と、を行うことを特徴とする。
【００２２】
請求項１６記載の発明は、請求項１５記載の娯楽情報提供方法において、通信端末装置において、利用情報を移動体通信端末装置に送信させる際に必要な料金の支払い処理を行い、通信端末装置が、支払い処理が完了した際に、支払い処理が完了した旨を娯楽情報提供サーバに送信する支払完了通知工程を行い、利用情報送信工程は、支払完了通知工程により支払い処理が完了した旨が通知された際に、移動体通信端末装置に対して利用情報を送信することを特徴とする。
【００２３】
請求項１７記載の発明は、請求項１５記載の娯楽情報提供方法において、接続情報提供工程は、入場許可装置が管理する利用情報と、近距離無線送信工程により移動体通信端末装置から近距離無線にて送信された利用情報と、が一致するか否かを判定することで利用情報の正当性を検証し、利用情報が一致すると判定した場合に、利用情報の正当性が証明されることを特徴とする。
【００２４】
請求項１８記載の発明は、請求項１７記載の娯楽情報提供方法において、入場許可装置が管理する利用情報は、娯楽情報提供サーバから送信された利用情報であることを特徴とする。
【００２５】
請求項１９記載の発明は、請求項１５記載の娯楽情報提供方法において、情報サイト接続工程により移動体通信端末装置が情報提供サイトに接続された際に、利用情報を基に娯楽施設内の所定の位置までの道案内を検索する検索プログラムが情報提供サイトから移動体通信端末装置に送信され、該送信された検索プログラムが移動体通信端末装置において実行され、利用情報を基に娯楽施設内の所定の位置までの道案内が検索され、該検索した道案内が移動体通信端末装置の表示部に表示されることを特徴とする。
【００２６】
請求項２０記載の発明は、娯楽施設を利用する際に必要な利用情報を管理する娯楽情報提供サーバと、利用情報を取得する移動体通信端末装置と、娯楽施設の利用を管理する入場許可装置と、で行なわれる娯楽情報提供方法であって、移動体通信端末装置が、利用情報を取得するための取得要求を娯楽情報提供サーバに送信する利用情報取得要求工程と、利用情報取得要求工程により利用情報を受信した娯楽情報提供サーバが、該受信した取得要求を基に、利用情報を移動体通信端末装置に送信する利用情報送信工程と、移動体通信端末装置が、利用情報送信工程により受信した利用情報を近距離無線にて入場許可装置に送信する近距離無線送信工程と、入場許可装置が、近距離無線送信工程により送信された利用情報の正当性を検証し、利用情報の正当性が証明された際に、娯楽情報提供サーバが管理する情報提供サイトに接続するための接続情報を移動体通信端末装置に提供する接続情報提供工程と、移動体通信端末装置が、接続情報提供工程により提供された接続情報を用いて娯楽情報提供サーバが管理する情報提供サイトに接続する情報サイト接続工程と、を行うことを特徴とする。
【００２７】
請求項２１記載の発明は、請求項２０記載の娯楽情報提供方法において、移動体通信端末装置が利用情報を娯楽情報提供サーバから取得する際に必要な料金の精算を行うための支払情報を娯楽情報提供サーバに送信する支払情報通知工程を行い、利用情報送信工程は、支払情報通知工程により送信された支払情報を基に料金の精算を完了させた際に、移動体通信端末装置に対して利用情報を送信することを特徴とする。
【００２８】
請求項２２記載の発明は、請求項２０記載の娯楽情報提供方法において、接続情報提供工程は、入場許可装置が管理する利用情報と、近距離無線送信工程により移動体通信端末装置から近距離無線にて送信された利用情報と、が一致するか否かを判定することで利用情報の正当性を検証し、利用情報が一致すると判定した場合に、利用情報の正当性が証明されることを特徴とする。
【００２９】
請求項２３記載の発明は、請求項２２記載の娯楽情報提供方法において、入場許可装置が管理する利用情報は、娯楽情報提供サーバから送信された利用情報であることを特徴とする。
【００３０】
請求項２４記載の発明は、請求項２０記載の娯楽情報提供方法において、情報サイト接続工程により移動体通信端末装置が情報提供サイトに接続された際に、利用情報を基に娯楽施設内の所定の位置までの道案内を検索する検索プログラムが情報提供サイトから移動体通信端末装置に送信され、該送信された検索プログラムが移動体通信端末装置において実行され、利用情報を基に娯楽施設内の所定の位置までの道案内が検索され、該検索した道案内が移動体通信端末装置の表示部に表示されることを特徴とする。
【００３１】
【発明の実施の形態】
（発明の特徴）
まず、図１、図３を参照しながら、本発明にかかる娯楽情報鑑賞システムについて説明する。
本発明にかかる娯楽情報鑑賞システムは、娯楽情報を鑑賞したい意志のある観客が通信端末装置１を用いて、娯楽情報を提供する主催者側の娯楽情報提供サーバ２にアクセスし、娯楽情報提供サーバ２に対して、娯楽情報を鑑賞するための鑑賞許可情報を、観客が所有する移動体通信端末装置３に送信させる。そして、娯楽情報提供サーバ２から受信した鑑賞許可情報を基に、移動体通信端末装置３と、娯楽情報を鑑賞する娯楽施設の入場ゲートに設置された入場許可装置４と、の間で、娯楽施設内への入場を観客に許可させるための通過処理を近距離無線にて行うことで、観客が娯楽施設内において娯楽情報を鑑賞することが可能となる。
また、観客が所有する移動体通信端末装置３が受信した鑑賞許可情報を基に、娯楽情報を提供する主催者側の娯楽情報提供サーバ２にアクセスし、娯楽施設に関する情報を所定の期間だけ閲覧することが可能となる。なお、上記の通信端末装置１は、移動体通信端末装置３でも適用可能である。
【００３２】
以下、添付図面を参照しながら本発明にかかる娯楽情報鑑賞システムの実施の形態について詳細に説明する。
【００３３】
（第１の実施の形態）
まず、図１を参照しながら、第１の実施の形態における娯楽情報鑑賞システムについて説明する。
【００３４】
第１の実施の形態における娯楽情報鑑賞システムは、コンビニエンス等に設置された通信端末装置１と、娯楽施設の主催者側が提供する娯楽情報提供サーバ２と、娯楽施設を利用する利用者の所有する移動体通信端末装置３と、娯楽施設の入場ゲートに設置されている入場許可装置４と、を有して構成される。以下、本娯楽情報鑑賞システムを構成する各装置について説明する。
【００３５】
（通信端末装置）
通信端末装置１は、コンビニエンス等に設置され、娯楽情報提供サーバ２にアクセスし、試合を観戦する際に必要となる利用許可情報を利用者の所有する移動体通信端末装置３に送信させるための観戦情報を娯楽情報提供サーバ２に登録する端末装置である。なお、観戦情報には、利用者の所有する移動体通信端末装置３のメールアドレスや、利用者の個人情報等が含まれて娯楽情報提供サーバ２に登録されることとなる。また、この通信端末装置１において、観戦情報を娯楽情報提供サーバ２に登録した際に、利用者が試合を観戦する際に必要な料金の支払い処理を行うことも可能であり、利用者の支払い処理が完了した際に、その支払い処理の完了の旨を娯楽情報提供サーバ２に送信することとなる。
【００３６】
（娯楽情報提供サーバ）
娯楽情報提供サーバ２は、通信端末装置１から娯楽情報提供サーバ２に観戦情報が登録された際に、その観戦情報が登録された利用者の移動体通信端末装置３に対して、試合を観戦する際に必要となる利用許可情報を送信する装置である。なお、利用許可情報には、娯楽情報提供サーバ２が提供している試合情報コンテンツを取得する際のコンテンツ取得要求情報と、試合会場内に利用者が入場する際に必要なチケット情報と、を含んで構成されている。また、チケット情報には、利用者が試合会場内で観戦する座席等の位置情報を含んで構成されている。
【００３７】
なお、娯楽情報提供サーバ２が提供している試合情報コンテンツには、試合観戦に関する情報（選手の個人情報、チーム情報、試合会場までの道案内情報、試合会場周辺の地域情報など）を含んで構成されている。
【００３８】
（移動体通信端末装置）
移動体通信端末装置３は、図２に示すように、移動体通信端末装置を制御するＣＰＵ１０と、ワークエリアとなるＲＡＭ１１と、制御プログラム、アプリケーション、が登録されるＦＬＡＳＨ  ＲＯＭ１２と、情報信号を伝送線路に送り出す信号に変換するベースバンド部１３と、移動体通信端末としての無線部１４と、を有して構成される。なお、本実施の形態における移動体通信端末装置は、外部の通信機器（本実施の形態においては、入場許可装置４）と近距離無線（赤外線通信）にて通信処理が行なわれることとなる。
【００３９】
上記構成からなる移動体通信端末装置３は、試合を観戦する際に必要となる利用許可情報を娯楽情報提供サーバ２から受信し、この受信した利用許可情報に含まれるコンテンツ取得要求情報を基に、娯楽情報提供サーバ２が提供している試合情報コンテンツの情報を取得することが可能となる。
また、移動体通信端末装置３は、娯楽情報提供サーバ２から受信した利用許可情報に含まれるチケット情報を、試合会場の入場ゲートに設置されている入場許可装置４に対して近距離無線（赤外線通信等）にて送信し、入場許可装置４にチケット情報の正当性を検証させる。
【００４０】
（入場許可装置）
入場許可装置４は、試合会場の入場ゲートに設置されている装置であり、移動体通信端末装置３から近距離無線にて受信したチケット情報の正当性の検証処理を行う。この検証処理は、移動体通信端末装置３から近距離無線にて受信したチケット情報と、入場許可装置４で管理されているチケット情報と、が一致するか否かを判定することで、チケット情報の正当性が検証される。なお、入場許可装置４で管理するチケット情報は、娯楽情報提供サーバ２から送信されることで、入場許可装置４において管理されることとなる。このチケット情報は、試合毎に更新されるため、試合毎に娯楽情報提供サーバ２からチケット情報が送信されることとなる。また、試合当日は、適宜、娯楽情報提供サーバ２からチケット情報が送信されることとなる。
【００４１】
また、入場許可装置４は、移動体通信端末装置３から送信されたチケット情報の正当性が証明された際に、移動体通信端末装置３に対して追加情報を近距離無線にて送信することとなる。この追加情報には、正当性の証明されたチケット情報での再入場を入場許可装置４において実行させないように、チケット情報に新たな情報が付加された更新チケット情報や、チケット情報の正当性が証明された場合のみに娯楽情報提供サーバ２が提供する情報提供サイトに接続することが可能となるパスワードが含まれて構成されている。なお、上記更新チケット情報は、入場許可装置４において管理されることとなる。なお、入場許可装置４は、データベースと接続させ、そのデータベースに情報を管理することも可能である。
【００４２】
次に、図３を参照しながら、第１の実施の形態における娯楽情報鑑賞システムの処理動作について説明する。
【００４３】
まず、観客となる利用者は、コンビニエンス等に設置された通信端末装置１を用いて、娯楽情報提供サーバ２にアクセスし、試合情報の一覧から利用者が観戦する試合情報を選択する。この時、利用者の所有する移動体通信端末装置３のメールアドレスや、利用者の個人情報など、利用者が試合を観戦する際に必要となる利用許可情報を利用者の所有する移動体通信端末装置３が取得するために必要な観戦情報を、通信端末装置１を用いて娯楽情報提供サーバ２に登録する（ステップＳ１）。そして、娯楽情報提供サーバ２は、通信端末装置１から送信された観戦情報の登録が娯楽情報提供サーバ２において完了した旨を通信端末装置１に送信する（ステップＳ２）。
【００４４】
通信端末装置１は、観戦情報の登録が完了した旨を娯楽情報提供サーバ２から受信し、観客となる利用者は、通信端末装置１の表示部において、その観戦情報の登録が完了した旨の通知を確認した後、利用者が試合を観戦する際に必要な料金の支払い処理を通信端末装置１において行うこととなる。この料金の支払い処理は、クレジットカードや、現金などを用いて行うこととなるが、通信端末装置１において支払い処理が実行されればその料金の支払い処理の方法は、特に限定しない。
【００４５】
そして、通信端末装置１は、料金の支払い処理が完了した際に、その料金の支払い処理が完了した旨を娯楽情報提供サーバ２に送信する（ステップＳ３）。なお、利用者が試合を観戦する際に必要な料金の支払いは、コンビニエンスのレジにおいて精算することでも可能である。この場合は、レジにおいて料金の支払い処理が完了した後に、レジと接続されたコンピュータを経由して料金の支払い処理が完了した旨が娯楽情報提供サーバ２に送信されることとなる。
【００４６】
上記処理により料金の支払い処理が完了した旨を受信した娯楽情報提供サーバ２は、その料金の支払い処理が完了した利用者の移動体通信端末装置３に対して、試合を観戦する際に必要な利用許可情報を、娯楽情報提供サーバ２に登録した観戦情報に含まれるメールアドレスを用いて送信する（ステップＳ４）。なお、この利用許可情報は、娯楽情報提供サーバ２が提供している試合情報コンテンツを取得する際のコンテンツ取得要求情報と、試合会場内に利用者が入場する際に必要となるチケット情報と、を含んで送信される。なお、チケット情報には、利用者が試合会場内で観戦する座席等の位置情報が含まれている。また、娯楽情報提供サーバ２が提供する試合情報コンテンツには、試合観戦に関する情報（選手の個人情報、チーム情報、試合会場までの道案内情報、試合会場周辺の情報など）を含んで構成されており、それらの情報は利用者が移動体通信端末装置３を用いて取得することとなる。
【００４７】
これにより、観客となる利用者は、移動体通信端末装置３に送信された利用許可情報に含まれるコンテンツ取得要求情報を基に、娯楽情報提供サーバ２が提供する試合情報コンテンツの情報を取得することが可能となり、その試合情報コンテンツに開示されている試合観戦に関する情報を、利用者が試合を観戦する前から取得することが可能となる。
【００４８】
次に、観客となる利用者は試合会場内に入場する際に、娯楽情報提供サーバ２から移動体通信端末装置３に送信された利用許可情報に含まれるチケット情報を、試合会場の入場ゲートに設置された入場許可装置４に対して移動体通信端末装置３から近距離無線にて送信する（ステップＳ５）。そして、入場許可装置４は、移動体通信端末装置３から近距離無線にて受信したチケット情報の正当性の検証処理を行う（ステップＳ６）。この検証処理は、移動体通信端末装置３から近距離無線にて受信したチケット情報と、入場許可装置４で管理されているチケット情報と、が一致するか否かを判定することで、チケット情報の正当性が検証される。この判定において、移動体通信端末装置３が近距離無線にて送信したチケット情報と、入場許可装置４で管理されているチケット情報と、が一致すると判定した場合は、チケット情報の正当性が証明され、入場許可装置４は、移動体通信端末３を所有する利用者に対して試合会場内への入場を許可することとなる。
【００４９】
なお、チケット情報は、娯楽情報提供サーバ２から入場許可装置４に送信されることで、入場許可装置４がチケット情報を管理することとなる。娯楽情報提供サーバ２から入場許可装置４にチケット情報を送信する方法は、特に限定せず、自動的に適宜、チケット情報を送信することも可能である。
【００５０】
次に、移動体通信端末装置３と入場許可装置４との間で近距離無線を用いて行う上記チケット情報の検証処理において、チケット情報の正当性が証明された場合に、入場許可装置４は、移動体通信端末装置３に対して、新たな付加サービスを提供するための追加情報を近距離無線にて送信する（ステップＳ７）。この追加情報には、正当性が証明された上記チケット情報での再入場を入場許可装置４において実行させないようにするために、上記のチケット情報に新たな情報が付加された更新チケット情報や、チケット情報の正当性が証明された場合のみに娯楽情報提供サーバ２が提供する情報提供サイトに接続することが可能となるパスワードが含まれている。なお、移動体通信端末装置３に送信される追加情報に含まれる更新チケット情報は、入場許可装置４にて管理されることとなる。
【００５１】
次に、移動体通信端末装置３は、娯楽情報提供サーバ２にアクセスし（ステップＳ８）、入場許可装置４から受信した追加情報に含まれるパスワードを用いて、チケット情報の検証が完了した場合のみ利用可能な情報提供サイトに接続する（ステップＳ９）。そして、この情報提供サイトに接続されると、移動体通信端末装置３の保持するチケット情報に含まれる位置情報を基に観客の座席までのルートを検索する検索プログラムが、その娯楽情報提供サーバ２が提供する情報提供サイトから移動体通信端末装置３に対してインストールされ、このインストールされた検索プログラムが移動体通信端末装置３において実行されることとなる。これにより、観客の座席までのルートが移動体通信端末装置３の保持するチケット情報に含まれる位置情報を基に検索され、その検索されたルートが移動体通信端末装置３の表示部に表示され、その表示されたルートを基に、観客は自分の座席まで辿り着くことが可能となる。なお、この検索プログラムは、パスワードを用いて情報提供サイトと移動体通信端末装置３とが初めて接続された初回時のみ、移動体通信端末装置３にインストールされるように設定されている情報であり、２回目以降の接続時にはインストールされないように設定されている。
【００５２】
また、この情報提供サイトは、試合会場内に入場が許可された観客のみに共有される情報提供サイトであり、観客が移動体通信端末装置３に搭載された撮影手段を用いて、試合会場内で撮影した画像情報をその情報提供サイトに登録したり、他の観客がその情報提供サイトに登録した画像情報を閲覧、または、取得したりすることができるようになっている。
【００５３】
この情報提供サイトを試合会場内の観客が利用することで、この情報提供サイトを利用した観客は、他の観客の席や位置から撮影された試合会場内の画像情報を閲覧することとなるため、試合会場内の観客全員の視点を共有することとなり、観客が位置する場所からでは見ることができない選手の姿やプレーを閲覧することが可能となる。
【００５４】
なお、この情報提供サイトは、試合観戦当日から試合観戦後の所定の期間（例えば、１週間）の間だけ、試合会場内の観客に対して提供される提供サイトであり、その所定の期間内であれば、観客は、パスワードを用いて移動体通信端末装置３から何度でもアクセスすることができる。これにより、観客は、試合終了後も所定の期間だけ情報提供サイトにアクセスして、試合観戦時の余韻を楽しむことが可能となる。
【００５５】
このように、第１の実施の形態における娯楽情報鑑賞システムは、試合を観戦する際に必要な観客の観戦情報を、通信端末装置を用いて娯楽情報提供サーバに登録し、娯楽情報提供サーバは、通信端末装置から登録された観戦情報を基に、娯楽情報提供サーバに登録した観客が所有する移動体通信端末装置に対して試合を観戦する際に必要な利用許可情報を送信する。そして、移動体通信端末装置は、娯楽情報提供サーバから受信した利用許可情報に含まれるチケット情報を、試合会場に設置されている入場許可装置に対して近距離無線にて送信し、チケット情報の正当性を入場許可装置において検証させる。そして、入場許可装置は、そのチケット情報の正当性を検証した際に、移動体通信端末装置に対して追加情報を送信し、移動体通信端末装置は、入場許可装置から受信した追加情報に含まれるパスワードを用いて、試合会場への入場が許可された観客のみに提供される情報提供サイトに接続することが可能となる。
【００５６】
なお、上記第１の実施の形態において、娯楽情報提供サーバは、料金の支払い処理が完了した利用者の移動体通信端末装置に対して、試合を観戦する際に必要な利用許可情報を送信したが、この料金の支払い処理は、利用許可情報を送信した後に行うことでもよく、図４に示すように、通信端末装置から観戦情報の登録がなされた際に、自動的にその登録先の移動体通信端末装置に送信することも可能である（ステップＡ２）。
【００５７】
（第２の実施の形態）
次に、第２の実施の形態について説明する。
第２の実施の形態は、第１の実施の形態において、コンビニエンス等に設置されている通信端末装置を用いて、娯楽情報提供サーバにアクセスすることで、試合を観戦する際に必要な利用許可情報を、利用者の所有する移動体通信端末装置が取得することとしたが、第２の実施の形態は、この通信端末装置を用いずに、利用者の所有する移動体通信端末装置を用いて、娯楽情報提供サーバに直にアクセスし、試合を観戦する際に必要な利用許可情報を、移動体通信端末装置が取得することとする。
【００５８】
まず、図５を参照しながら第２の実施の形態における娯楽情報鑑賞システムについて説明する。
【００５９】
第２の実施の形態における娯楽情報鑑賞システムは、娯楽施設の主催者側が提供する娯楽情報提供サーバ２と、娯楽施設を利用する利用者の所有する移動体通信端末装置３と、娯楽施設の入場ゲートに設置されている入場許可装置４と、を有して構成される。第２の実施の形態における移動体通信端末装置３は、第１の実施の形態における通信端末装置１の機能が付加された装置となる。
【００６０】
次に、図６を参照しながら、第２の実施の形態における娯楽情報鑑賞システムの処理動作について説明する。
【００６１】
まず、観客となる利用者は、利用者の所有する移動体通信端末装置３を用いて、娯楽情報提供サーバ２にアクセスし、利用者が試合を観戦する際に必要な利用許可情報を取得するために必要な観戦情報（利用者の個人情報等）を娯楽情報提供サーバ２に登録する（ステップＳ１０）。そして、娯楽情報提供サーバ２は、観戦情報の登録が完了した旨を移動体通信端末装置３に送信する。この時、娯楽情報提供サーバ２は、後述する、試合を観戦する際に必要な料金を精算するためのクレジット情報を暗号するための暗号鍵も移動体通信端末装置３に対して同時に送信する（ステップＳ１１）。
【００６２】
次に、移動体通信端末装置３は、観戦情報の登録が娯楽情報提供サーバ２において完了した旨を娯楽情報提供サーバ２から受信し、その受信した観戦情報の登録完了の旨を、移動体通信端末装置３の表示部にて利用者が確認する。そして、観客となる利用者は、試合を観戦する際に必要な料金を精算するためのクレジット情報を移動体通信端末装置３に入力する。移動体通信端末装置３は、その入力されたクレジット情報に対して娯楽情報提供サーバ２から取得した暗号鍵を用いて暗号化を施し、その暗号化を施したクレジット情報を娯楽情報提供サーバ２に送信する（ステップＳ１２）。
【００６３】
娯楽情報提供サーバ２は、暗号化の施されたクレジット情報を移動体通信端末装置３から受信し、娯楽情報提供サーバ２は、娯楽情報提供サーバ２が保持する復号鍵を用いてその受信したクレジット情報の復号化処理を行う。次に、娯楽情報提供サーバ２は、この復号化処理を行ったクレジット情報を基に、試合を観戦する際に必要な料金の精算を完了させる（ステップＳ１３）。次に、娯楽情報提供サーバ２は、その料金の精算を完了させた移動体通信端末装置３に対して試合を観戦する際に必要な利用許可情報を送信する（ステップＳ１４）。なお、この利用許可情報は、娯楽情報提供サーバ２が提供している試合情報コンテンツを取得する際のコンテンツ取得要求情報と、試合会場内に利用者が入場する際に必要となるチケット情報と、を含んで送信される。なお、チケット情報には、利用者が試合会場内で観戦する座席等の位置情報が含まれている。また、娯楽情報提供サーバ２が提供する試合情報コンテンツには、試合観戦に関する情報（選手の個人情報、チーム情報、試合会場までの道案内情報、試合会場周辺の情報など）を含んで構成されており、それらの情報を利用者が移動体通信端末装置３を用いて取得することが可能となる。
【００６４】
次に、観客となる利用者は試合会場内に入場する際に、娯楽情報提供サーバ２から移動体通信端末装置３に送信された利用許可情報に含まれるチケット情報を、移動体通信端末装置３から試合会場の入場ゲートに設置された入場許可装置４に対して近距離無線にて送信し（ステップＳ１５）、入場許可装置４は移動体通信端末装置３から近距離無線にて受信したチケット情報の正当性の検証処理を行うこととなる（ステップＳ１６）。そして、入場許可装置４においてチケット情報の正当性が検証された際に、移動体通信端末装置３に対して追加情報を近距離無線にて送信することとなる（ステップＳ１７）。
【００６５】
このように、第２の実施の形態における娯楽情報鑑賞システムは、試合を観戦する際に必要な観客の観戦情報を、観客の所有する移動体通信端末装置を用いて娯楽情報提供サーバに登録し、娯楽情報提供サーバは、移動体通信端末装置から登録された観戦情報を基に、娯楽情報提供サーバに登録した観客が所有する移動体通信端末装置に対して試合を観戦する際に必要な利用許可情報を送信する。そして、移動体通信端末装置は、娯楽情報提供サーバから受信した利用許可情報に含まれるチケット情報を、試合会場に設置されている入場許可装置に対して近距離無線にて送信し、チケット情報の正当性を入場許可装置において検証させることとなる。
【００６６】
なお、上記第２の実施の形態において、娯楽情報提供サーバは、復号化処理を行ったクレジット情報を基に、試合を観戦する際に必要な料金の精算を完了させ、その料金の精算を完了させた移動体通信端末装置に対して試合を観戦する際に必要な利用許可情報を送信したが、この試合を観戦する際に必要な料金の精算処理は、利用許可情報を送信した後に行うことでもよく、図７に示すように、移動体通信端末装置から観戦情報の登録がなされた際に、自動的に利用許可情報を移動体通信端末装置に送信することも可能である（ステップＡ１１）。
【００６７】
（第３の実施の形態）
次に、第３の実施の形態について説明する。
第１の実施の形態における娯楽情報鑑賞システムを構成する入場許可装置４において、移動体通信端末装置３から近距離無線にて受信したチケット情報の正当性の検証処理を行うこととしたが、第３の実施の形態は、図８、図９に示すように、入場許可装置４が管理するチケット情報を娯楽情報提供サーバ２において管理し、入場許可装置４が、移動体通信端末装置３から近距離無線にて受信したチケット情報を娯楽情報提供サーバ２に送信し、娯楽情報提供サーバ２においてチケット情報の正当性の検証処理を行うこととする。これにより、娯楽情報提供サーバ２が、入場許可装置４においてチケット情報を管理することがなくなる。なお、図８は、第１の実施の形態において、娯楽情報提供サーバが、料金の支払い処理が完了した利用者の移動体通信端末装置に対して、試合を観戦する際に必要な利用許可情報を送信した場合の処理動作であり、図９は、通信端末装置から観戦情報の登録がなされた際に、自動的にその登録先の移動体通信端末装置に利用許可情報を送信した場合の処理動作を示す図である。
【００６８】
（第４の実施の形態）
次に、第４の実施の形態について説明する。
第２の実施の形態における娯楽情報鑑賞システムを構成する入場許可装置４において、移動体通信端末装置３から近距離無線にて受信したチケット情報の正当性の検証処理を行うこととしたが、第４の実施の形態は、図１０、図１１に示すように、入場許可装置４が管理するチケット情報を娯楽情報提供サーバ２において管理し、入場許可装置４が、移動体通信端末装置３から近距離無線にて受信したチケット情報を娯楽情報提供サーバ２に送信し、娯楽情報提供サーバ２においてチケット情報の正当性の検証処理を行うこととする。これにより、娯楽情報提供サーバ２が、入場許可装置４においてチケット情報を管理することがなくなる。なお、図１０は、第２の実施の形態において、娯楽情報提供サーバが、料金の支払い処理が完了した利用者の移動体通信端末装置に対して、試合を観戦する際に必要な利用許可情報を送信した場合の処理動作であり、図１１は、移動体通信端末装置から観戦情報の登録がなされた際に、自動的にその登録先の移動体通信端末装置に利用許可情報を送信した場合の処理動作を示す図である。
【００６９】
なお、上述する実施の形態は、本発明の好適な実施の形態であり、本発明の要旨を逸脱しない範囲内において種々変更実施が可能である。例えば、上記実施の形態において、移動体通信端末装置３が娯楽情報提供サーバ２から受信する利用許可情報に含まれるチケット情報には、解読防止キーが付加されて構成されており、チケット情報を、利用者の所有する移動体通信端末装置３から第３者の移動体通信端末装置へ転送出来ないようにすることも可能である。
【００７０】
この場合、娯楽情報提供サーバ２から送信される利用許可情報を移動体通信端末装置３が受信すると、その受信した利用許可情報に含まれるチケット情報に付加されている解読防止キーが移動体通信端末装置３において有効となり、解読防止キーを解除することができなくなる。
【００７１】
これにより、解読防止キーが有効となったチケット情報は、その解読防止キーを解除しない限りチケット情報を読み込むことができなくなるため、チケット情報を取得した利用者の移動体通信端末装置３から第３者の移動体通信端末装置に対してこのチケット情報を転送した場合、第３者の移動体通信端末装置には、解読防止キーを解除する手段が保持されていないことから、チケット情報自体を移動体通信端末装置に読み込むことができないこととなる。
【００７２】
そして、チケット情報を保持する利用者は移動体通信端末装置３を用いて、試合会場の入場ゲートに設置された入場許可装置４に対して近距離無線にてチケット情報を送信し、チケット情報の正当性の検証処理が行われることとなる。このとき、この入場許可装置４には、解読防止キーを解除するための解除コードが格納されており、チケット情報の読み込み処理が不可になることはない。そして、入場許可装置４においてチケット情報の正当性が証明された際に、本実施の形態では、正当性が証明されたチケット情報での再入場を防止するため、正当性が証明されたチケット情報に新たな情報が付加された更新チケット情報が、入場許可装置４から移動体通信端末装置３に送信されることとなるが、この場合も、移動体通信端末装置３が更新チケット情報を受信した際に、解読防止キーが有効となる。
【００７３】
【発明の効果】
以上の説明より明らかなように本発明は以下のような効果を奏する。
本発明にかかる移動体通信端末装置、娯楽情報鑑賞システム及び娯楽情報提供方法は、娯楽施設の主催者が提供する情報サービスを、娯楽施設を利用する意志のある観客が容易に取得することが可能となる。
【図面の簡単な説明】
【図１】第１の実施の形態における娯楽情報鑑賞システムの構成を示す図である。
【図２】娯楽情報鑑賞システムを構成する移動体通信端末装置の内部構成を示す図である。
【図３】第１の実施の形態における娯楽情報鑑賞システムにおける第１の処理動作を示すシーケンスチャートである。
【図４】第１の実施の形態における娯楽情報鑑賞システムにおける第２の処理動作を示すシーケンスチャートである。
【図５】第２の実施の形態における娯楽情報鑑賞システムの構成を示す図である。
【図６】第２の実施の形態における娯楽情報鑑賞システムにおける第１の処理動作を示すシーケンスチャートである。
【図７】第２の実施の形態における娯楽情報鑑賞システムにおける第２の処理動作を示すシーケンスチャートである。
【図８】第３の実施の形態における娯楽情報鑑賞システムにおける第１の処理動作を示すシーケンスチャートである。
【図９】第３の実施の形態における娯楽情報鑑賞システムにおける第２の処理動作を示すシーケンスチャートである。
【図１０】第４の実施の形態における娯楽情報鑑賞システムにおける第１の処理動作を示すシーケンスチャートである。
【図１１】第４の実施の形態における娯楽情報鑑賞システムにおける第２の処理動作を示すシーケンスチャートである。
【符号の説明】
１  通信端末装置
２  娯楽情報提供サーバ
３  移動体通信端末装置
４  入場許可装置
１０  ＣＰＵ
１１  ＲＡＭ
１２  ＲＯＭ
１３  ベースバンド部
１４  無線部
【図１】
2005010959.tif 000003
【図２】
2005010959.tif 000004
【図３】
2005010959.tif 000005
【図４】
2005010959.tif 000006
【図５】
2005010959.tif 000007
【図６】
2005010959.tif 000008
【図７】
2005010959.tif 000009
【図８】
2005010959.tif 000010
【図９】
2005010959.tif 000011
【図１０】
2005010959.tif 000012
【図１１】
2005010959.tif 000013